(57)【要約】      （修正有）【課題】火災の発生時における初期消火には、放水が有効である。放水は圧力が高いほど有効であり、放水中の圧力の低下は少ないことが好ましい。しかし、一般的には、放水量に対して、供給量（給水量）が少なくなると、放水口の圧力が低下し、放水距離（水が届く距離）が短くなり、火に近づく必要が生じる。火災による高齢者の死亡者は増加傾向にある。高齢者は火事を起こす危険性が高く、また、消火作業を迅速に行うことは困難である。少しでも火に近づかないで消火を行いことができれば、危険率は減少する。そのためには、放水による水圧低下の少ない設備が必要である。【解決手段】給水元管より、住宅に引き入れた消火用配管において、入り口のゲートバルブと放水のためのボールバルブとの間に、複数の直管２，３とエルボ４でつなぎ、その距離を５〜１５ｍにした給水配管設備とする。【選択図】図１
2015213547.tif 000002
【特許請求の範囲】
【請求項１】
入り口のゲートバルブと放水のためのボールバルブとの間の配管の長さを５〜１５ｍにした給水配管設備
【請求項２】
前記配管のサイズが１５Ａ、２０Ａ、または２５Ａである請求項１に記載の給水配管設備
【発明の詳細な説明】
【技術分野】
【０００１】
本発明は、水道の給水圧を用いて消火用の散水を行なう、建物内、特に一般住宅に
設置する住宅用消火設備に関する。
【背景技術】
【０００２】
近年、火災による家屋の損失、または逃げ遅れによる死傷を未然に防止するために、消防法にて消防用設備の設置が義務付けられていない戸建て住宅の居住区においても、住宅用の消防用設備を設置することが多くなってきている。
【０００３】
住宅用消火設備としては、住宅用スプリンクラーや住宅用消火栓などがある。一般に住宅用スプリンクラーは寝室や居間、台所など火災が発生しやすい場所に設置され、火災の発生により自動的に住宅用スプリンクラーが散水し、延焼を防ぐ。また住宅用消火栓は廊下などに設置され、ぼやなどの小規模な火災や、寝室や居間、台所などから出火した火災の火が廊下などに延焼した場合などに、人の意思によって使用する。
給水圧力を確保できる住宅用消火設備としては、特開２００４−３５１０４３号公報に開示された技術がある。
【先行技術文献】
【特許文献】
【０００４】
【特許文献１】特開２００４−３５１０４３号公報
【発明の概要】
【発明が解決しようとする課題】
【０００５】
消火栓は、一般的には、放水量に対して、供給量（給水量）が少なくなると、放水口の圧力が低下し、放水距離（水が届く距離）が短くなり、火に近づく必要が生じる。
火災による高齢者の死亡者は増加傾向にある。高齢者は、火事を起こす危険性が高く、また、消火作業を迅速に行うことは、困難である。少しでも火に近づかないで消火を行いことができれば、危険率は減少する。そのためには、放水による水圧低下の少ない施設が必要である。
【課題を解決するための手段】
【０００６】
上記課題を解決する、本発明は、入り口のゲートバルブと放水のためのボールバルブとの間の距離を５〜１５ｍにした給水配管設備である。また、前記配管のサイズが１５Ａ、２０Ａ、または２５Ａである給水配管設備である。
【発明の効果】
【０００７】
以上のことから、本発明により、長時間放水した場合も水圧の低下が少ないことが、実証された。
【図面の簡単な説明】
【０００８】
【図１】本発明の実施の形態におけるシステム図である。
【発明を実施するための形態】
【０００９】
給水元管より、住宅に引き入れた消火用配管において、入り口のゲートバルブと放水のためのボールバルブとの間に、複数の直管をエルボでつなぎ、その距離を変化させて給水配管設備とし、放水時の水圧を測定した。なお、給水元管のサイズは２０A、給水元管から入り口のゲートバルブまでの配管は２０A、長さは約１ｍである。ゲートバルブと、本発明の給水配管設備への間には、逆止弁、ユニオンを備えている。
【００１０】
（実施の形態１）
長さ２ｍの２０A配管用炭素鋼管５本（“）を、同サイズの長さ２０ｃｍの縦の直管４本（３）と２０Aエルボ（４）で直列に連結し、合計の流路長さを１０．８ｍの装置（パネル）とした。（このパネルを以後、ヘッダーと称する）５本の直管は、垂直パネルになるように配置しており（以後、この配置のヘッダーを縦置きヘッダーと記す。）、最下段の管と、最上段の管の間の距離は８０ｃｍである。最下段の水平直管の地面からの距離は３０ｃｍである。この縦置きヘッダーを入り口のゲートバルブと放水のためのボールバルブの間に設置し、住宅に引き入れた消火用配管に接続し、連続して放水した場合の圧力は、６．５±０．１キロであり、７キロからの圧力低下は、わずかに０．５キロ程度であった。
【００１１】
（実施の形態２）
実施例１において、長さ２ｍの２０A配管用炭素鋼管５本を、長さ２０ｃｍの直管４本と２０Aエルボをつなげ、合計の流路長さを１０．８ｍのヘッダーとし、パネル面が地面と平行になるように設置した。（以後、この配置のヘッダーを横置きヘッダーと記す。）パネルの地面からの高さは、１５ｃｍとした。
ヘッダーを入り口のゲートバルブと放水のためのボールバルブの間に設置し、住宅に引き入れた消火用配管に接続し、連続して放水した場合の圧力は、６．５±０．１キロであり、７キロからの圧力低下は、わずかに０．５キロ程度であった。
【００１２】
（実施の形態３）
横置きの長さ２ｍの２０A配管用炭素鋼管７本を、長さ２０ｃｍの縦の直管６本とエルボでシリーズにつなげ、合計の流路長さを１５．２ｍの縦置きヘッダーとした。この縦置きヘッダーを入り口のゲートバルブと放水のためのボールバルブに設置し、住宅に引き入れた消火用配管に接続し、連続して放水した場合の圧力は、６．５±０．１キロであり、７キロからの圧力低下は、わずかに０．５キロ程度であった。
【００１３】
（実施の形態４）
横置きの長さ２ｍの２０A配管用炭素鋼管３本を、長さ２０ｃｍの縦の直管２本、をエルボでシリーズにつなげ、合計の流路長さを６．４ｍの縦置きヘッダーとした。最下段の水平直管の地面からの距離は３０ｃｍである。このヘッダーを入り口のゲートバルブと放水のためのボールバルブに設置し、住宅に引き入れた消火用配管に接続し、連続して放水した場合の圧力は、６．５±０．１キロであり、７キロからの圧力低下は、わずかに０．５キロ程度であった。
【００１４】
（実施の形態５）
横置きの長さ３ｍの２０A配管用炭素鋼管を、同じく横置きの長４ｍの２０A配管用炭素鋼管をエルボを用いて接続し合計の流路長さの横置き７ｍのヘッダーとした。この場合には、すべての配管を地面から１５ｃｍになるように配置した。（パネル形状ではないが、横置きである。）この装置を入り口のゲートバルブと放水のためのボールバルブに設置し、住宅に引き入れた消火用配管に接続し、連続して放水した場合の圧力は、６．５±０．１キロであり、７キロからの圧力低下は、わずかに０．５キロ程度であった。
【００１５】
（比較例）
横置きの長さ２ｍの２０A配管用炭素鋼管２本を、長さ２０ｃｍの縦の直管１本をエルボでシリーズにつなげ、合計の流路長さを４．２ｍの縦置き縦置きヘッダーとした。この縦置きヘッダーを入り口のゲートバルブと放水のためのボールバルブに設置し、住宅に引き入れた消火用配管に接続し、連続して放水した場合の圧力は、５．５キロであり、７キロからの圧力低下は、１．５キロであり、実施例１〜５に比較して水圧低下が大きかった。
【００１６】
上記の結果より、全長が４．２ｍ以下の場合は、放水時の水圧低下が大きく、また、１５ｍ以上としても、さらなく改善効果は得られないことがわかる。したがって、本発明の給水配管設備（ヘッダー）の合計の管路の長さは、５ｍ〜１５ｍの範囲とした。配管のサイズを１５Ａ、２５Ａとした場合の本発明の効果は有効であった。ヘッダーの設置位置が地面より２ｍ以下の場合についても本発明の効果は得られる。
【産業上の利用可能性】
【００１７】
本発明の設備は建築業、素材製造業の活性化に有効である。
【符号の説明】
【００１８】
１ 本発明の給水配管設備（縦置きヘッダー）
２  ２０A配管（１）
３  ２０A配管（２）
４  ２０Aエルボ
【図１】
2015213547.tif 000003